【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群から成り、広角端から望遠端へのズーミングに際して、前記第２レンズ群が像面側へ移動すると共に、各レンズ群の間隔が変化し、前記第３レンズ群を光軸と垂直な成分を持つ方向に移動させて結像位置を変化させるズームレンズであって、前記第３レンズ群は、物体側より像側へ順に、正の屈折力の第３ａレンズ群Ｌ３ａ、開口絞り、第３ｂレンズ群Ｌ３ｂから成り、前記第３ａレンズ群Ｌ３ａは１つの正の屈折力のレンズ成分から成り、前記第３ｂレンズ群Ｌ３ｂは負レンズを有し、前記第３ａレンズ群Ｌ３ａ、前記第３ｂレンズ群Ｌ３ｂの焦点距離をそれぞれｆ３ａ、ｆ３ｂとするとき、
−０．１＜ｆ３ａ／ｆ３ｂ＜０．１
なる条件式を満足することを特徴とするズームレンズ。
【請求項２】
前記第４レンズ群は、広角端から望遠端へのズーミングに際して、物体側に凸状の軌跡で移動することを特徴とする請求項１に記載のズームレンズ。
【請求項３】
前記第４レンズ群の広角端における焦点距離をｆｒ、レンズ全系の広角端における焦点距離をｆｗとするとき、
３．２＜ｆｒ／ｆｗ＜６．４
なる条件を満足することを特徴とする請求項１または２に記載のズームレンズ。
【請求項４】
物体側より像側へ順に、正の屈折力の第１レンズ群、負の屈折力の第２レンズ群、正の屈折力の第３レンズ群、正の屈折力の第４レンズ群、正の屈折力の第５レンズ群から成り、広角端から望遠端へのズーミングに際して、前記第２レンズ群が像面側へ移動すると共に、各レンズ群の間隔が変化し、前記第３レンズ群を光軸と垂直な成分を持つ方向に移動させて結像位置を変化させるズームレンズであって、前記第３レンズ群は、物体側より像側へ順に、正の屈折力の第３ａレンズ群Ｌ３ａ、開口絞り、第３ｂレンズ群Ｌ３ｂから成り、前記第３ａレンズ群Ｌ３ａは１つの正の屈折力のレンズ成分から成り、前記第３ｂレンズ群Ｌ３ｂは負レンズを有し、前記第３ａレンズ群Ｌ３ａ、前記第３ｂレンズ群Ｌ３ｂの焦点距離をそれぞれｆ３ａ、ｆ３ｂとするとき、
−０．１＜ｆ３ａ／ｆ３ｂ＜０．１
なる条件式を満足することを特徴とするズームレンズ。
【請求項５】
前記第５レンズ群は、広角端から望遠端へのズーミングに際して、物体側に凸状の軌跡で移動することを特徴とする請求項４に記載のズームレンズ。
【請求項６】
広角端における前記第４レンズ群と前記第５レンズ群の合成焦点距離をｆｒ、レンズ全系の広角端における焦点距離をｆｗとするとき、
３．２＜ｆｒ／ｆｗ＜６．４
なる条件を満足することを特徴とする請求項４または５に記載のズームレンズ。
【請求項７】
前記第３ｂレンズ群Ｌ３ｂの１つの負レンズＧ３ｂｎの材料のアッベ数をνｄ３ｂｎとするとき、
２０＜νｄ３ｂｎ＜３３
なる条件を満足することを特徴とする請求項１乃至６のいずれか１項に記載のズームレンズ。
【請求項８】
前記第３ａレンズ群Ｌ３ａは１枚の正レンズＧ３ａｐから構成され、該正レンズＧ３ａｐの材料のアッベ数をνｄ３ａｐとするとき、
５５＜νｄ３ａｐ
なる条件を満足することを特徴とする請求項１乃至７のいずれか１項に記載のズームレンズ。
【請求項９】
前記第３ｂレンズ群Ｌ３ｂは正レンズＧ３ｂｐを有し、該正レンズＧ３ｂｐの焦点距離をｆ３ｂｐとするとき、
０．７＜ｆ３ａ／ｆ３ｂｐ＜１．３
なる条件を満足することを特徴とする請求項１乃至８のいずれか１項に記載のズームレンズ。
【請求項１０】
前記第３ｂレンズ群Ｌ３ｂの広角端と望遠端における結像倍率をそれぞれβ３ｂｗ、β３ｂｔとするとき、
０．８＜β３ｂｔ／β３ｂｗ＜１．２
なる条件を満足することを特徴とする請求項１乃至９のいずれか１項に記載のズームレンズ。
【請求項１１】
前記第３ａレンズ群Ｌ３ａと前記第３ｂレンズ群Ｌ３ｂとの間隔をｄａｂ、広角端における前記開口絞りの開口の最大の有効直径をＤｓｐとするとき、
０．１＜ｄａｂ／Ｄｓｐ＜１．６
なる条件を満足することを特徴とする請求項１乃至１０のいずれか１項に記載のズームレンズ。
【請求項１２】
前記第１レンズ群の焦点距離をｆ１、レンズ全系の広角端と望遠端における焦点距離をそれぞれｆｗ、ｆｔとするとき、
１．２＜ｆ１／（ｆｗ・ｆｔ）１／２＜３．０
なる条件を満足することを特徴とする請求項１乃至１１のいずれか１項に記載のズームレンズ。
【請求項１３】
前記第２レンズ群の広角端と望遠端における結像倍率をそれぞれβ２ｗ、β２ｔとするとき、
０．６＜（β２ｔ／β２ｗ）／（ｆｔ／ｆｗ）＜１．６
なる条件を満足することを特徴とする請求項１乃至１２のいずれか１項に記載のズームレンズ。
【請求項１４】
前記第３ａレンズ群Ｌ３ａは、１枚の正レンズＧ３ａｐから構成され、該正レンズＧ３ａｐは、少なくとも１面が非球面形状であることを特徴とする請求項１乃至１３のいずれか１項に記載のズームレンズ。
【請求項１５】
前記第２レンズ群は、物体側から像側へ順に、物体側の面が凸でメニスカス形状の負レンズ、像面側の面が凹形状の負レンズ、物体側の面が凸形状の正レンズから構成されることを特徴とする請求項１乃至１４のいずれか１項に記載のズームレンズ。
【請求項１６】
固体撮像素子に像を形成することを特徴とする請求項１から１５のいずれか１項に記載のズームレンズ。
【請求項１７】
請求項１から１６のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１７
【補正方法】変更
【補正の内容】
【００１７】
本発明のズームレンズは、物体側より像側へ順に、正の屈折力の第１レンズ群、負の屈折力の第２レンズ群、正の屈折力の第３レンズ群、正の屈折力の第４レンズ群から成り、広角端から望遠端へのズーミングに際して、前記第２レンズ群が像面側へ移動すると共に、各レンズ群の間隔が変化し、前記第３レンズ群を光軸と垂直な成分を持つ方向に移動させて結像位置を変化させるズームレンズであって、前記第３レンズ群は、物体側より像側へ順に、正の屈折力の第３ａレンズ群Ｌ３ａ、開口絞り、第３ｂレンズ群Ｌ３ｂから成り、前記第３ａレンズ群Ｌ３ａは１つの正の屈折力のレンズ成分から成り、前記第３ｂレンズ群Ｌ３ｂは負レンズを有し、前記第３ａレンズ群Ｌ３ａ、前記第３ｂレンズ群Ｌ３ｂの焦点距離をそれぞれｆ３ａ、ｆ３ｂとするとき、
−０．１＜ｆ３ａ／ｆ３ｂ＜０．１
なる条件式を満足することを特徴としている。
この他、本発明のズームレンズは、物体側より像側へ順に、正の屈折力の第１レンズ群、負の屈折力の第２レンズ群、正の屈折力の第３レンズ群、正の屈折力の第４レンズ群、正の屈折力の第５レンズ群から成り、広角端から望遠端へのズーミングに際して、前記第２レンズ群が像面側へ移動すると共に、各レンズ群の間隔が変化し、前記第３レンズ群を光軸と垂直な成分を持つ方向に移動させて結像位置を変化させるズームレンズであって、前記第３レンズ群は、物体側より像側へ順に、正の屈折力の第３ａレンズ群Ｌ３ａ、開口絞り、第３ｂレンズ群Ｌ３ｂから成り、前記第３ａレンズ群Ｌ３ａは１つの正の屈折力のレンズ成分から成り、前記第３ｂレンズ群Ｌ３ｂは負レンズを有し、前記第３ａレンズ群Ｌ３ａ、前記第３ｂレンズ群Ｌ３ｂの焦点距離をそれぞれｆ３ａ、ｆ３ｂとするとき、
−０．１＜ｆ３ａ／ｆ３ｂ＜０．１
なる条件式を満足することを特徴としている。
【手続補正３】
【補正対象書類名】明細書
【補正対象項目名】００２２
【補正方法】変更
【補正の内容】
【００２２】
第３レンズ群を光軸と垂直な成分を持つ方向に（実施例中では垂直な方向に）移動させて像位置（結像位置）を変位させている。即ち、防振を行っている。
【手続補正４】
【補正対象書類名】明細書
【補正対象項目名】００６８
【補正方法】変更
【補正の内容】
【００６８】
後群Ｌｒの広角端における焦点距離をｆｒとする。ここで焦点距離ｆｒは、後群Ｌｒが第４、第５レンズ群Ｌ４、Ｌ５からなるときは、第４、第５レンズ群Ｌ４、Ｌ５の合成焦点距離である。
【手続補正５】
【補正対象書類名】明細書
【補正対象項目名】００７３
【補正方法】変更
【補正の内容】
【００７３】
第３ａレンズ群Ｌ３ａと第３ｂレンズ群Ｌ３ｂとの間隔をｄａｂ、広角端における開口絞りの開口の最大の有効直径をＤｓｐとする。
【手続補正６】
【補正対象書類名】明細書
【補正対象項目名】００９４
【補正方法】変更
【補正の内容】
【００９４】
条件式（７）は第３ａレンズ群Ｌ３ａと第３ｂレンズ群Ｌ３ｂとの間隔ｄａｂと開口絞りＳＰの絞り開放時における有効直径Ｄｓｐに関するものである。
【手続補正７】
【補正対象書類名】明細書
【補正対象項目名】００９８
【補正方法】削除
【補正の内容】
【手続補正８】
【補正対象書類名】明細書
【補正対象項目名】０１６７
【補正方法】変更
【補正の内容】
【０１６７】
またKを離心率、A4、A6、A8を非球面係数、光軸からの高さHの位置での光軸方向の変位を面頂点を基準にしてｘとするとき、非球面形状は、
【手続補正９】
【補正対象書類名】明細書
【補正対象項目名】０１６８
【補正方法】変更
【補正の内容】
【０１６８】
【数１】
2009162862.tif 000001